(57)【要約】【課題】室内を二つの部屋に簡単且つ正確に仕切ることができると共に、仕切った際に形成される出入口の開閉も円滑に行え、且つ、体裁のよい外観を呈する間仕切り装置を提供する。【解決手段】ボックス形状の収納体１を移動、固定可能な台枠４上に設置して室内の所望位置に簡単に移動、配置可能にしていると共に、上記収納体１の後面に、該収納体１と略同一横幅に形成され且つ収納体１の高さよりも縦幅が大きい引き戸６を配設して収納体１の上下面から突出する引き戸６における他半部側の上下端部の両側端に軸支したローラ７、８を外部から最も見え難い収納体１の後端部における上下面に固定した上下レール９、１０上を転動可能にして引き戸６の一半部で出入口Ｅを開閉させるように構成している。【選択図】　　図１
2004081353.tif 000002
【特許請求の範囲】
【請求項１】
室内空間を仕切る間仕切り装置であって、ボックス形状の収納体と、この収納体の後面に配設された引き戸とからなり、上記収納体の後端側の上下端部における少なくとも上端部に水平レールを固定している一方、上記引き戸の少なくとも上端部に、上記水平レール上を転動して該引き戸の一半部を収納体の一側端から外側方に引き出し可能にしたローラを回転自在に軸支していることを特徴とする室内の間仕切り装置。
【請求項２】
収納体を台枠上にその後端部が該台枠の後端面から後方に突出させた状態で設置していると共にこの後端部における上下面に該収納体の両側端に亘ってそれぞれ上下水平レールを固定している一方、引き戸をその上下端部が収納体の上下面からそれぞれ上下方向に突出した長さに形成してあり、この引き戸の上下端部における前面に上記上下水平レール上をそれぞれ転動する上下ローラを回転自在に軸支していることを特徴とする請求項１に記載の室内の間仕切り装置。
【請求項３】
引き戸は、水平レール上を転動するローラを取付けていないパネルとローラを取付けているパネルとを並設状態に一体に接合、固定してなり、ローラを取付けていない上記パネルからなる一半部のみを収納体の一側端から外側方に引き出すように構成していることを特徴とする請求項１又は請求項２に記載の室内の間仕切り装置。
【請求項４】
収納体は前面側が開口している収納ユニットを少なくとも２台、並列状態に一体に連設してなり、この収納体を台枠上に設置していると共に該収納体の上面にこの収納体が前方側に傾動した時に天井面に当接してその傾倒を防止する傾倒防止板を突設してあり、さらに、上記台枠内の複数箇所に車輪を該台枠の開口下端から下方に出没可能に装着していることを特徴とする請求項１、請求項２又は請求項３に記載の室内の間仕切り装置。
【請求項５】
収納体の上面後部における一側端部にストッパ部材を突設、固定している一方、引き戸の前面上端部における横幅方向の中央部に上記ストッパ部材に当接する当接部材を支持した支持部材を前方に向かって突設していることを特徴とする請求項１ないし請求項４のうち、いずれか１項に記載の室内の間仕切り装置。
【発明の詳細な説明】
【０００１】
【発明の属する技術分野】
本発明はマンションや戸建て住宅などの建物内の室内空間を２つの部屋に仕切る間仕切り装置に関するものである。
【０００２】
【従来の技術】
従来から、例えば、互いに床面が面一状に連通しているリビングルームとダイニングルーム間を仕切る場合や、広い室内空間を生活様式等に応じて別々の部屋に仕切る場合の間仕切りとしては種々の構造のものが知られているが、簡易な間仕切りとして、縦長長方形状のウイングを複数枚、互いに屈折自在に連結してなる蛇腹状に開閉可能な折り畳み式の間仕切りが広く採用されている。
【０００３】
しかしながら、このような折り畳み式の間仕切りによれば、室内間の開口部を全面的に閉止するか或いは開放するという機能しか奏することができず、室内間の開口部の大部分を完全に閉止した状態にし且つ一部の開口部を室内間の出入口としてこの出入口を間仕切りの一部により正確に開閉するといった使用形態にすることができない。その上、室内に露出した状態で折り畳まれているために、室内の美観を損なうという問題点があり、また、円滑な開閉を行えるようにするために床面にガイドレールや戸当たりを設けると、室内間を同一平滑面で連通させている床面がバリヤフリーとしての機能を果たすことができなくなるという問題点がある。
【０００４】
このため、ボックス形状の収納体を部屋間の間仕切り壁として設置し、該収納体の一側面と室内の壁面との間に部屋間を連通させる出入口を設けた間仕切り構造とすることや、特開平１０−１０２６４３号公報に記載されているように、収納体の後面に引き戸を引き出し可能に配設してなる間仕切り構造も開発されている。
【０００５】
【発明が解決しようとする課題】
しかしながら、前者のような間仕切り構造によれば、部屋の模様替えに応じて収納体を所定場所に設置することができても、この収納体の一側面と室内の壁面との間の空間部によって形成された上記出入口を開閉するためのドアを別途、配設する必要があった。
【０００６】
一方、後者のような間仕切り構造によれば、収納体の後面に配設した引き戸によって出入り口を開閉することができるが、収納体にこの引き戸を横移動可能に支持させるには、該収納体に別途レールを組み込んだ固定部材を配設した構造としているために、間仕切り構造が複雑化して施工に手間を要するばかりでなく、固定部材やレールの一部が外部に露出して外観を損なうという問題点があった。
【０００７】
さらに、引き戸の横幅を収納体の横幅と同一幅に形成して該引き戸を収納体の一側面から出入口に向かって略全面的に引き出すことにより出入口を閉止するように構成しているので、収納体の一側面から引き戸の引き出し幅が大きくなるに従って該引き戸を収納体に水平状に支持させておくことが困難となり、引き戸が引き出し端に向かって全体的に下方に傾斜したり、前後方向に揺動して円滑な開閉操作が行えなくなり、その上、元の位置まで収納することも困難となる虞れがあった。
【０００８】
このため、引き戸の下端面に床面上を転動するローラを設置しているが、このローラが外部に露呈して外観を損するばかりでなく、引き戸が引き出されるに従ってローラが前後方向に妄動し、引き戸を開閉方向に直線的に転動さることができなくなって引き戸の開閉動作が不正確で不安定となるという問題点があった。従って、引き戸と収納体との横幅を略同一にした場合には、床面に引き戸の開閉方向に向かってレールを敷設しなければならず、そのため、上述したように床面がバリヤフリーとしての機能を果たすことができなくなると共に、この収納体の設置場所が制限されて移動式の間仕切り構造として採用することが困難であるという問題点があった。
【０００９】
本発明は上記のような問題点に鑑みてなされたもので、その目的とするところは、収納体と引き戸との簡単な構造で室内空間の所定部分の間仕切りが可能となるばかりでなく床面を全面的にバリヤフリー構造にしておくことができ、その上収納体からの引き戸の引き出しによる出入口の開閉操作が引き戸を妄動させることなく正確に且つ円滑に行え、さらに、レールや車輪等が外部に露呈することなく常に隠蔽された状態を保持して優れた外観を呈する室内の間仕切り装置を提供するにある。
【００１０】
【課題を解決するための手段】
上記目的を達成するために、本発明の室内の間仕切り装置は、請求項１に記載したように、室内空間を仕切る間仕切り装置であって、ボックス形状の収納体と、この収納体の後面に配設された引き戸とからなり、上記収納体の後端側の上下端部における少なくとも上端部に水平レールを固定している一方、上記引き戸の少なくとも上端部に上記水平レール上を転動して該引き戸の一半部を収納体の一側端から外側方に引き出し可能にしたローラを回転自在に軸支してなる構造としている。
【００１１】
このように構成した室内の間仕切り装置において、請求項２に係る発明は、上記収納体を台枠上にその後端部が該台枠の後端面から後方に突出させた状態で設置していると共にこの後端部における上下面に該収納体の両側端に亘ってそれぞれ上下水平レールを固定している一方、引き戸をその上下端部が収納体の上下面からそれぞれ上下方向に突出した長さに形成してあり、この引き戸の上下端部における前面に上記上下水平レール上をそれぞれ転動する上下ローラを回転自在に軸支している構造を有する。
【００１２】
さらに、請求項３に係る発明は、上記引き戸として水平レール上を転動するローラを取付けていないパネルとローラを取付けているパネルとを並設状態に一体に接合、固定してなる構造とし、ローラを取付けていない上記パネルからなる一半部のみを収納体の一側端から外側方に引き出すように構成している。
【００１３】
また、請求項４に係る発明は、前面側が開口している収納ユニットを少なくとも２台、並列状態に一体に連設することによって上記収納体を形成し、この収納体を台枠上に設置していると共に該収納体における上記収納ユニット間の天板部上に収納体が前方側に傾動した時に天井面に当接してその傾倒を防止する傾倒防止板を突設してあり、さらに、上記台枠内の複数箇所に車輪を該台枠の開口下端から下方に出没可能に装着していることを特徴とする。
【００１４】
請求項５に係る発明は、上記引き戸を必要以上に収納体から引き出されるのを阻止する手段であって、上記収納体の上面後部における一側端部にストッパ部材を突設、固定している一方、引き戸の前面上端部における横幅方向の中央部に上記ストッパ部材に当接する当接部材を支持した支持部材を前方に向かって突設していることを特徴とする。
【００１５】
【作用】
室内の床面上の所望箇所に収納体を設置してこの収納体により室内空間を２つの部屋に仕切ると共に、該収納体の後面に配設している引き戸の引き出し方向に面した収納体の一側面と室内の一側壁面との間の空間によって出入口を形成し、この出入口を上記引き戸によって開閉させるようにする。なお、室内の両側壁面にそれぞれ収納体を接した状態で配設し、これらの収納体の対向する側面間で出入口を形成すると共にこれらの収納体から引き出される引き戸によってその出入口を開閉するように構成してもよい。
【００１６】
この際、収納体の高さが床面から天井面間の高さよりも低いので、床面への設置作業が容易に且つ正確に行えるものであり、また、収納体の後端側の上下端部における少なくとも上端部に水平レールを固定しているので、別途レールを配設した固定部材などを収納体の上面に取付けることなく、収納体に直接、水平レールを配設した簡単な構造とすることができると共に、水平レールやこの水平レール上を転動するローラを外部から見え難くして外観の良好な間仕切り装置を構成することができる。
【００１７】
さらに、上記引き戸の少なくとも上端部に、上記水平レール上を転動して該引き戸の一半部を収納体の一側端から外側方に向かって引き出し可能にしたローラを回転自在に軸支しているので、この引き戸の一半部を引き出すことによって出入口を閉止し、他半部を常に水平レール上にローラを介して安定的に支持させた構造としておくことができ、従って、引き戸の開閉操作が円滑且つ正確に行うことができるものであり、しかも、引き戸を床面上にレールを敷設することなく開閉し得る構造としているので、床面を全面的にバリヤフリー構造にしておくことができる。
【００１８】
【発明の実施の形態】
次に、本発明の具体的な実施の形態を図面について説明すると、図１〜図３において、１は前面が前方に向かって開口しているボックス形状の木製収納体で、正面縦長長方形状の後面板１ａの上下端縁と両側端縁とに平面横長矩形状の天面板１ｂと底面板１ｃ及び縦長長方形状の両側面板１ｄ、１ｄを矩形枠状に組合わせて一体化してなる収納ユニット１’を２台、左右に並列させて一体に連結してなり、その高さは図１２、１３に示すように、室内における天井面Ｃと床面Ｆ間の高さよりも低く形成されていると共に、各収納ユニット１’、１’の内部を図３に示すように、上下方向に所定間隔毎に配設した棚板１１によって複数の物品収納凹部２に区画、形成してなり、また、これらの収納ユニット１’、１’の前面開口部は扉３によって開閉自在に閉止されている。なお、収納ユニット１’の内部構成は、上記棚板１１によって物品収納凹部２に区画、形成されたものに限らず、ハンガータイプや引き出しタイプなど、任意の内部構成のものにしておくことができる。
【００１９】
さらに、この収納体１を構成している各収納ユニット１’、１’は平面矩形状の台枠４上に設置、固定されている。この台枠４は両側面間の横幅が収納ユニット１’と等しい横幅に形成されているが、前後方向の幅は、収納ユニット１’の前後方向に幅よりも狭く形成されていて、その前枠部から収納ユニット１’の前端部を前方に向かって突出させた状態で設置している。また、台枠４内の四隅部には図５、図６に示すように、車輪５が該台枠４の開口下端から上下方向に出没可能に装着されてあり、各車輪５を台枠４から下方に突出させることにより、該車輪５を室内の床面Ｆ上で転動させながら収納体１を所望の位置まで移動させ、台枠４内に没入させることによって所定の位置で設置、固定させるように構成している。また、収納体１を台枠４上に設置させている全体の高さは、その上面が室内の天井面Ｃから下方に小間隔を存した高さ（略２ｍ）となるように形成されている。
【００２０】
なお、収納体１は上記収納ユニット１’を２台、並設させて一体に連結することにより構成しているが、３台以上の収納ユニット１’を並列、一体化させた構造であってもよく、また、このよう２台以上の収納ユニット１’からではなく、１台によって構成しておいてもよい。
【００２１】
６は収納体１の後面に重ね合わせ状態にして配設している一定厚みを有する木質板からなる引き戸で、横幅が収納体１の横幅に略等しく、縦幅（高さ）が収納体１の高さよりも長く形成されていて、その上下端部を収納体１の上下面からそれぞれ上下方向に突出させていると共に、該上下端面を室内の天井面Ｃと床面Ｆに対してそれぞれ僅かな隙間を存して対向させるようにしてあり、さらに、図７に示すように、この引き戸６の前面における上下端部に回転自在に軸支しているローラ７、８を、収納体１の後端部における上下端部に該収納体１の両側端に亘って固定している上下水平レール９、１０に転動可能に支持させて収納体１の一側面から外側方に向かって引き出し可能に構成している。
【００２２】
この引き戸６は一枚の板材から形成しておいてもよいが、図２、図８に示すように、収納体１を構成している収納ユニット１’の横幅に略等しい幅を有する２枚のパネル６Ａ、６Ｂを左右に並べてその対向側端面を一体に接合、固着することにより形成している。このように２枚のパネル６Ａ、６Ｂを組み合わせることによって引き戸６を形成することにより、予め、該パネル６Ａ、６Ｂを分離させた状態で運搬等が可能となり、取扱性が良いと共に、現場等において容易に組立てることができる。
【００２３】
そして、収納体１の一側面から引き出される一方のパネル６Ａには上記ローラ７、８を取付けることなく、他方のパネル６Ｂのみにその前面における上下端部の両側部に上記ローラ７、８を回転自在に軸支している。なお、１２は一方のパネル６Ａの一側端部におけ高さ方向の中央部表裏面（前後面）に取付けられている把手である。
【００２４】
一方、収納体１に設けられている上記上下水平レール９、１０は、該収納体１の後面における上下端部に固定しておいてもよいが、そうすると収納体１と引き戸６との対向面に大きな隙間が形成されて外観を損なうばかりでなく広い設置空間を必要とするので、上記図７に示すように、収納体１の後端部における上下面に全幅に亘って敷設、固定している。従って、これらの上下水平レール９、１０上を転動する上記ローラ７、８も、収納体１の上下面から突出している引き戸６のパネル６Ｂの上下端部における前面両側端部に回転自在に軸支されている。
【００２５】
さらに、収納体１の上面における横幅方向の中央部、即ち、この収納体１を構成している２台の収納ユニット１’、１’同士の接合部における上面に、収納体１が地震発生時における振動によって前後方向に傾動した時に、天井面Ｃに当接して収納体１の傾倒を防止する傾倒防止板１３を上方に向かって突設している。なお、この傾倒防止板１３は、２台の収納ユニット１’、１’間にこれらの収納ユニット１’、１’を一体に連結させている接合板１３’　を介在し、この接合板１３’　の上端部を収納体１の上面から上方に突出させてその突出端部によって形成しているが、収納体１の上面から直接、突設させた構造としておいてもよい。このような傾倒防止板１３は必要に応じて設ければよく、収納体１が、傾倒した時に天井面Ｃに当接するに充分な高さを有している場合には特に必要としない。
【００２６】
また、図９に示すように、収納体１の後端部における上面両側端部にストッパ部材１４、１５を突設している一方、上記引き戸６におけるローラ７、８を設けているパネル６Ｂには、上記ストッパ部材１４、１５にそれぞれ当接して引き戸６の収納位置の設定と必要以上の引き出しを阻止する当接部材１６、１７を配設している（図８参照）。なおこれらの当接部材１６、１７は、図７に示すように、パネル６Ｂの前面上端部における両側端に前方に向かって支持部材１８を突設し、これらの支持部材１８の前端部にそれぞれ装着されているものである。
【００２７】
次に、以上のように構成した室内の間仕切り装置の使用態様を説明すると、室内を模様替えする時などにおいて、室内を図１０〜図１３に示すように、独立した部屋Ａ、Ｂに仕切りたい場合には、上記収納体１を載置した台枠４の四隅部内に収納している車輪５を外部操作によって該台枠４から下方に突出させて床面Ｆ上に支持させると共に台枠４を床面Ｆから浮かし、この状態にして収納体１を室内の床面Ｆ上における所望位置にまで移動させ、その位置で車輪５を台枠４内に没入させて該台枠４の下端面を床面Ｆ上に受止させることにより収納体１を床面Ｆ上に設置する。
【００２８】
この際、収納体１の一側面を室内の一側壁面Ｄに対して所定間隔、即ち、上記引き戸６における一半部を形成しているパネル６Ｂの横幅に略相当する間隔を存して対向させ、収納体１の一側面と室内の一側壁面Ｄ間の空間部を出入口Ｅに形成する。なお、収納体１の他側面は室内の他側壁面に密接させるか、又は、該他側壁面から室内に向かって突設している袖壁（図示せず）の突出端面に密接させるか、或いは、収納体１の他側面と室内の他側壁面間に別な収納ボックス或いは仕切壁を配設することによって室内を部屋Ａ、Ｂに区画する。また、室内の中央部に上記間仕切り装置を２台、その対向内側面を密接させた状態で配設して室内の両側壁面との間に出入口を形成し、これらの出入口をそれぞれの装置における収納体１の外側面から引き出される引き戸６、６によって開閉させるように構成してもよい。
【００２９】
このように、収納体１を室内の床面Ｆ上に設置すると、台枠４によって車輪５が隠蔽されて外部からは全く見えず、その上、台枠４上に設置されている収納体１は一般の人の身長よりも高い略２ｍ程度であって、且つ、収納体１上に敷設されている上側レール９とこの上側レール９上を転動する引き戸６の上側のローラ７、７は収納体１の後端部側の上面に配設されているので、この収納体１によって仕切られた部屋Ａ、Ｂにおける前側の部屋Ａからはこれらのローラ７やレール９を直視することが困難となり、さらに、引き戸６の下側のローラ８、８は台枠４の後面側に配設されているから全く見えない。
【００３０】
一方、後側の部屋Ｂからは、上記上下ローラ７、８やレール９、１０は引き戸６の上下端部によって完全に隠蔽された状態となっているから、外部に露呈することはなく、従って、外観の良好な間仕切り構造とすることができる。
【００３１】
また、上下レール９、１０上で引き戸６の上下ローラ７、８をこれらの上下レール９、１０に係止させた状態で転動させるので、引き戸６が前後方向に揺動することなく安定した状態で軽快に上記出入口Ｅを開閉することができると共に、出入口Ｅの開閉は、引き戸６の一半部である一方のパネル６Ａによってのみ行い、引き戸６の他半部を形成している他方のパネル６Ｂは常に収納体１の後面側にあってその前面上下端部における両側端部に上記上下ローラ７、８を軸支しているから、引き戸６の一半部によって出入口Ｅを閉止した状態においてもこれらの上下ローラ７、８は常にレール９、１０上に転動可能に配置されていて引き戸６を上下方向に傾動させることなく、安定した状態で円滑な開閉が可能となると共に、出入口Ｅを閉止した状態においても上下ローラ７、８は外部に露出することはなく、体裁のよい間仕切り構造を構成するものである。
【００３２】
さらに、収納体１を構成している収納ユニット１’、１’の物品収納凹部２は、引き戸６によって閉止されることなく前側の部屋Ａに臨ませているので、小物物品の出し入れが容易に行える。なお、以上の実施の形態において、下側の水平レール１０及び下側のローラ８を用いることなく、上側の水平レール９と上側のローラ７とによって引き戸６を開閉させるように構成しておいてもよい。また、出入口Ｅの開閉を行う引き戸６の一半部は、本実施の形態のように引き戸６全体の幅の略半分の幅に限るものではない。出入口Ｅの開口幅や収納体１の大きさに応じて開閉作業に支障のない範囲で一半部と他半部の横幅の割合を変化させてもよく、特に、引き戸６の全体の幅に対して出入口Ｅの開口幅が小さい場合には開閉作業に支障が生じないので、一半部と他半部の横幅の割合を例えば３：７のように一半部を小さく設定することもできる。
【００３３】
図１４は間仕切り装置における上記収納体１を３台の収納ユニット１’によって構成しているもので、上記実施の形態における２台の収納ユニット１’、１’からなる収納体１の他側面、即ち、引き戸６の引き出し方向と反対側の面に１台の収納ユニット１’’　を並べ、接合板１３’　を介して一体に連結してなるものである。
【００３４】
詳しくは、この収納体１は棚板２によって仕切られた物品収納凹部２の開口端を前面側に向けている２台の収納ユニット１’、１’を接合板１３’　を介して一体に並設していると共に、上記実施の形態と同様に、これらの収納ユニット１’、１’における面一状に連続した後面に引き戸６をその一半部（一方のパネル６Ａ）が一方の収納ユニット１’の一側面から上記のように配設した上下ローラ７、８とレール９、１０によって外側方に引き出し可能に配設し、さらに、引き戸６の他半部を形成している他方のパネル６Ｂの他端部側に固定しているストッパ部材１５とこのストッパ部材１５を受止する当接部材１７とによって引き戸６を収納体１の他側面から引き出し不能に構成していると共に、上記収納ユニット１’と同一高さと一定の横幅を有する収納ユニット１’’　を接合板１３’　を介して一体に連結している。
【００３５】
なお、この接合板１３’　もその上端部を収納体１から上方に突出させて傾倒防止板１３を形成している。また、引き戸６や上下ローラ７、８等を設けていない上記収納ユニット１’’　は、その物品収納凹部２を上記収納ユニット１’と同様に、前側の部屋Ａに臨ませた状態で配設しておいてもよいが、この図においては、上記前側の部屋Ａに物品収納凹部２を臨ませている上記２台の収納ユニット１’、１’とは逆方向、即ち、後側の部屋Ｂに向けて配設している。
【００３６】
このように、該収納ユニット１’’　における物品収納凹部１４を後側の部屋Ｂに向けておいても、この物品収納凹部１４は引き戸６によって遮蔽されることなく、常に、後側の部屋Ｂからこの物品収納凹部２に対しての物品の出し入れが可能となるものである。各収納ユニット１’、１’’　を、四隅部内に車輪５を下方に向かって出し入れ可能に配設している上記台枠４上に設置することやその他の構成についは上記実施の形態と同様であるので詳細な説明を省略する。
【００３７】
【発明の効果】
以上のように本発明の請求項１に係る室内の間仕切り装置によれば、室内空間を仕切る間仕切り装置であって、ボックス形状の収納体と、この収納体の後面に配設された引き戸とからなり、上記収納体の後端側の上下端部における少なくとも上端部に水平レールを固定している一方、上記引き戸の少なくとも上端部に、上記水平レール上を転動して該引き戸の一半部を収納体の一側端から外側方に引き出し可能にしたローラを回転自在に軸支しているので、収納体の高さが床面から天井面間の高さよりも低いから、収納体を移動させて床面に対する所望の位置への設置作業が容易に且つ正確に行うことができる。
【００３８】
さらに、収納体の後端側の上下端部における少なくとも上端部に水平レールを固定しているので、別途レールを配設した固定部材などを収納体の上面に取付けることなく収納体に直接、水平レールを配設した簡単な構造とすることができ、その上、上記引き戸の少なくとも上端部に、上記水平レール上を転動して該引き戸の一半部を収納体の一側端から外側方に引き出し可能にしたローラを回転自在に軸支しているので、この引き戸の一半部を引き出すことによって出入口を閉止し、他半部を常に水平レール上にローラを介して安定的に支持させた構造としておくことができ、従って、引き戸の開閉操作が円滑且つ正確に行うことができるものであり、しかも、引き戸を床面上にレールを敷設することなく開閉し得る構造としているので、床面を全面的にバリヤフリー構造にしておくことができる。
【００３９】
上記のように構成した間仕切り装置において、請求項２に係る発明は、上記収納体を台枠上にその後端部が該台枠の後端面から後方に突出させた状態で設置していると共にこの後端部における上下面に該収納体の両側端に亘ってそれぞれ上下水平レールを固定している一方、引き戸をその上下端部が収納体の上下面からそれぞれ上下方向に突出した長さに形成してあり、この引き戸の上下端部における前面に上記上下水平レール上をそれぞれ転動する上下ローラを回転自在に軸支しているので、引き戸側に設けている上下ローラが収納体の上下面に固定している上下水平レールにそれぞれ係止した状態で転動して引き戸が前後方向に揺動することなく正確に且つ円滑に出入口の開閉を行うことができる。
【００４０】
その上、上下水平レールやローラは収納体の前面側から最も見えがたい収納体の後端部における上下面側に配設していると共に、後面側からは収納体から上下方向に突出した引き戸の上下端部によって上記上下水平レールやローラが完全に隠蔽されて直視することができず、従って、どの方向に対しても上下水平レールやローラが露呈することなく、優れた外観を呈する間仕切り装置を提供し得るものである。
【００４１】
また、請求項３に係る発明によれば、上記引き戸として、水平レール上を転動するローラを取付けていないパネルとローラを取付けているパネルとを並設状態に一体に接合、固定してなり、ローラを取付けていない上記パネルからなる一半部のみを収納体の一側端から外側方に引き出すように構成しているので、引き戸の他半部を常にローラによってレール上に支持させた状態にして一半部により出入口を安定した状態て軽快に開閉することができると共に、引き戸を閉止状態にしてもローラやレールが外部に露呈せず、また、大型の引き戸であっても一半部側のパネルと他半部側のパネルとに２分割して容易に製作することができ、取扱性や現場での組立性を向上させることができる。
【００４２】
さらに、請求項４に係る発明は、前面側が開口している収納ユニットを少なくとも２台、並列状態に一体に連設することによって上記収納体を構成しているので、収納ユニットを組み合わせることにより容易に所定の横幅を有する収納体を形成することができるものであり、又、前面側の部屋から物品の出し入れが可能となり、便益に使用することができる。
【００４３】
その上、収納体の上面に傾倒防止板を突設しているので、地震の発生によって収納体が前後方向に傾動した時に、該傾倒防止板の上端面が天井面に当接してそれ以上の傾動を阻止することができ、安全上においても優れている。また、この収納体を台枠上に設置していると共に該台枠内の複数箇所に車輪を台枠の開口下端から下方に向かって出没可能に装着しているので、室内の模様替え等においては、車輪を押し下げて台枠と共に収納体を僅かに持ち上げた状態とし、車輪を床面上で転動させながら収納体を容易に且つ正確に所望の設置場所まで移動させることができ、その場所で車輪を台枠内に収納することによって収納体を簡単に固定することができる。
【００４４】
請求項５に係る発明によれば、収納体の上面後部における一側端部にストッパ部材を突設、固定している一方、引き戸の前面上端部における横幅方向の中央部に上記ストッパ部材に当接する当接部材を支持した支持部材を前方に向かって突設しているので、ストッパ部材に当接部材を当接させることによって引き戸を必要以上に引き出されるのを確実に防止することができ、引き戸の他半部側の前面における上下端部に軸支しているローラを常に収納体の後端部における上下レール上に載せた状態を維持することができて、引き戸を安全に且つ軽快に開閉操作することができる。
【図面の簡単な説明】
【図１】本発明の間仕切り装置の簡略斜視図、
【図２】その後面側からみた簡略斜視図、
【図３】簡略縦断側面図、
【図４】引き戸を引き出した状態の簡略斜視図、
【図５】台枠の縦断正面図、
【図６】その平面図、
【図７】収納体の後端部に対する引き戸の取付状態を示す拡大側面図、
【図８】引き戸の後面図、
【図９】収納体の後端部の一部省略簡略平面図、
【図１０】間仕切り装置を設置した状態の簡略平面図、
【図１１】その正面図、
【図１２】部屋を仕切ってその一側部に出入口を設けた状態の正面斜視図、
【図１３】引き戸で出入口を閉止した状態の正面斜視図、
【図１４】本発明の別な実施の形態を示す簡略平面図。
【符号の説明】
１　収納体
１’　収納ユニット
２　物品収納凹部
４　台枠
５　車輪
６　引き戸
６Ａ、６Ｂ　パネル
７、８　上下ローラ
９、１０　上下水平レール
１３　傾倒防止板
【図１】
2004081353.tif 000003
【図２】
2004081353.tif 000004
【図３】
2004081353.tif 000005
【図４】
2004081353.tif 000006
【図５】
2004081353.tif 000007
【図６】
2004081353.tif 000008
【図７】
2004081353.tif 000009
【図８】
2004081353.tif 000010
【図９】
2004081353.tif 000011
【図１０】
2004081353.tif 000012
【図１１】
2004081353.tif 000013
【図１２】
2004081353.tif 000014
【図１３】
2004081353.tif 000015
【図１４】
2004081353.tif 000016